(57)【要約】【課題】自端末と他端末とを部材によって区別させることができるとともに、その部材なしでの使用が困難な表示端末を提供する。【解決手段】表示部の筐体下方に取り付けられるとともに着脱可能な第１の脚と、表示部の背面側の筐体に取り付けられる第２の脚とにより、設置面に設置される表示端末であって、第１の脚はユーザの趣向により取替え可能である。また、表示端末は、脚固有情報取得手段と、環境設定手段とを有し、脚固有情報取得手段は、第１の脚に格納されたユーザ固有のＩＤ情報を取得し、環境設定手段は、前記脚固有情報取得手段が取得したＩＤ情報に基づき、表示端末をＩＤに対応するユーザの環境に設定する。【選択図】図１
2009157582.tif 000002
【特許請求の範囲】
【請求項１】
表示部の筐体下方に取り付けられるとともに着脱可能な第１の脚と、前記表示部の背面側の筐体に取り付けられる第２の脚とにより、設置面に設置される表示端末であって、前記第１の脚はユーザの趣向により取替え可能であることを特徴とする表示端末。
【請求項２】
前記第１の脚が取り外されていると、前記設置面での起立が不安定になることを特徴とする請求項１記載の表示端末。
【請求項３】
前記表示端末は、脚固有情報取得手段と、環境設定手段とを有し、
前記脚固有情報取得手段は、前記第１の脚に格納されたユーザまたは脚固有のＩＤ情報を取得し、
環境設定手段は、前記前記脚固有情報取得手段が取得した前記ＩＤ情報に基づき、前記表示端末を前記ＩＤに対応する環境に設定することを特徴とする請求項１または２記載の表示端末。
【請求項４】
前記環境設定手段は、前記表示端末に接続されたサーバからユーザの環境情報を取得することを特徴とする請求項３記載の表示端末。
【請求項５】
前記第１の脚は、前記環境設定手段が前記表示端末に設定する環境情報の少なくとも一部を格納していることを特徴とする請求項３記載の表示端末。
【発明の詳細な説明】
【技術分野】
【０００１】
本発明は、表示端末に関し、特に、他端末と自端末とを視覚や形状により区別可能にした表示端末に関する。
【背景技術】
【０００２】
従来から、表示装置や情報処理端末において、他端末と自端末とを区別するための技術が提案されている。
【０００３】
例えば、特許文献１には、表示部の回りの筐体に枠を設け、筐体と枠との間に化粧紙を挿抜可能に配することにより、他端末と自端末との区別を図った情報処理端末が開示されている。また、特許文献２には、ノート型パーソナルコンピュータのパームレストを交換することにより、他端末と自端末との区別を図った情報処理端末が開示されている。
【０００４】
【特許文献１】特開２００１−７７５４６号公報
【特許文献２】登録実用新案第３０７０７５３号公報
【発明の開示】
【発明が解決しようとする課題】
【０００５】
しかしながら、特許文献１や特許文献２に開示されている他端末と自端末との区別を図った情報処理端末では、以下に説明するような場合にその区別、識別力を損ないかねない。
【０００６】
すなわち、利用者の席が決まっていないフリーアドレスと呼ばれるようなオフィス等で、机上に設置された端末、例えば、シンクライアント端末、を共有して利用する場合、利用者は、自身が利用する端末に特許文献１や特許文献２に開示されている化粧紙やパームレストの技術を用いて、自端末と他端末とを区別させる。これにより善意の利用者は、真の利用者が離席中であっても、その席が自分の席でないことを認知することができる。
【０００７】
そして、真の利用者が、オフィスを離れるときには、自身の化粧紙やパームレストを持ち去ればよいが、化粧紙やパームレストは、その端末の使用上、物理的に何ら必須の部材でないため、部外者が化粧紙やパームレスト無しで、その端末を利用していても、周囲の者が、それに気がつきにくいという不具合がある。
【０００８】
そこで、本発明は、自端末と他端末とを部材によって区別させることができるとともに、その部材なしでの使用が困難な表示端末を提供することを目的とする。
【課題を解決するための手段】
【０００９】
本発明の表示端末は、表示部の筐体下方に取り付けられるとともに着脱可能な第１の脚と、前記表示部の背面側の筐体に取り付けられる第２の脚とにより、設置面に設置される表示端末であって、前記第１の脚はユーザの趣向により取替え可能であることを特徴とする。
【発明の効果】
【００１０】
本発明によれば、自端末と他端末とを部材によって区別させることができるとともに、その部材なしでの使用が困難な表示端末を提供することができる。
【発明を実施するための最良の形態】
【００１１】
以下、図面を参照して本発明を実施するための最良の形態について説明する。
【００１２】
まず、本実施の形態の情報処理端末の概観について説明する。図１は、本実施の形態の情報処理端末の正面図、図２は側面図、また、図３は背面図である。
【００１３】
図１ないし図３を参照すると、情報処理端末は、表示部１０、前面脚１１、背面脚１２、及び、キーボード２０を有する。
【００１４】
ここで、前面脚１１は、表示部１０の筐体下面に取り外し可能に接続され、ユーザが、他の脚に取り替えることにより、自端末と他端末とを区別させることができる。なお、情報処理端末は、前面脚１１と、表示部１０筐体背面に取り付けられた背面脚１２により、机上での設置の安定性が図られている。それゆえ、前面脚がないと、情報処理端末の机上での設置の安定性を悪化させることになる。
【００１５】
図４は、前面脚１１を前面脚１３に交換した場合を示す側面図である。図４の左図を参照すると、この前面脚１３を使用すると、背面脚１２を閉じた状態でも、情報処理端末を起立させることができる。
【００１６】
このように、本実施の形態の情報処理端末によれば、自端末と他端末とを前面脚１１や１３によって区別させることができるとともに、前面脚がないと、情報処理端末の机上での設置の安定性が悪化するため、前面脚無しでの部外者の利用を抑制する効果を有する。もちろん、ユーザは、前面脚の色や、形状等により、情報処理端末に、ユーザの個性を反映させることができる。つまり、前面脚の形状は、上述した前面脚１１や前面脚１３でなくてもよい。
【００１７】
次に、本実施の形態において、前述した情報処理端末が、図示せぬサーバに通信ネットワークで接続されたシンクライアントであるとする。すなわち、ユーザは、情報処理端末を介して、サーバにてユーザ認証することにより、サーバ内の情報資源を利用することができる。
【００１８】
図５は、このような情報処理端末の機能を説明するためのブロック図である。図５を参照すると、情報処理端末は、脚固有情報取得手段５１、及び、環境設定手段５２を有する。
【００１９】
脚固有情報取得手段５１は前面脚の図示せぬ記憶領域に格納された固有情報を取得する。この固有情報には、少なくともユーザまたは前面脚固有のＩＤが格納されている。なお、前面脚と表示部筐体とは、例えばＵＳＢ等により、物理的及び電気的に接続される。
【００２０】
環境設定手段５２は、ユーザのＩＤをサーバに送信し、シンクライアントである情報処理端末をユーザまたは前面脚固有の仕様にする。ここで、ユーザまたは前面脚固有の仕様とは、ブラウザのブックマークや、Ｅメール環境や、スクリーンセーバや、壁紙等である。
【００２１】
このように、前面脚により、ユーザはシンクライアントである情報処理端末を自身または前面脚固有の環境で使用することができる。
【００２２】
ここで、前面脚の形状等と例えばスクリーンセーバとをユーザの受ける印象的に関連付けることもできる。例えば、前面脚の形状がゴルフのドライバーヘッドを模した形状をしていた場合には、例えばスクリーンセーバをゴルフに関連するスクリーンセーバにするなどである。
【００２３】
なお、上述の例では、情報処理端末をシンクライアントとして説明したが、情報処理端末がシンクライアントでない場合、すなわち、自身に情報資源が格納されている場合も上述の例と同様である。すなわち、環境設定手段５２は、情報処理端末内の記憶領域または、前面脚からユーザの環境情報を取得し、情報処理端末をユーザの環境に設定する。
【００２４】
このように、前面脚が取り替え可能であること、また、前面脚にユーザまたは前面脚固有のＩＤを格納しておくことにより、上述したように、自端末と他端末とを前面脚１１や１４によって区別させることができるとともに、前面脚がないと、情報処理端末の机上での設置の安定性が悪化するため、前面脚無しでの部外者の利用を抑制する効果を有する。もちろん、ユーザは、前面脚の色や、形状等により、情報処理端末に、ユーザの個性を反映させることができる。これに加え、そもそも脚を所有しない部外者の情報処理端末の利用を排除することもできる。
【図面の簡単な説明】
【００２５】
【図１】本実施の形態の情報処理端末の正面図である
【図２】本実施の形態の情報処理端末の側面図である。
【図３】本実施の形態の情報処理端末の背面図である。
【図４】前面脚１１を前面脚１３に交換した場合を示す側面図である。
【図５】情報処理端末の機能を説明するためのブロック図である。
【符号の説明】
【００２６】
１０  表示部
１１  前面脚
１２  背面脚
１３  前面脚
２０  キーボード
５１  脚固有情報取得手段
５２  環境設定手段
【図１】
2009157582.tif 000003
【図２】
2009157582.tif 000004
【図３】
2009157582.tif 000005
【図４】
2009157582.tif 000006
【図５】
2009157582.tif 000007